(57)【特許請求の範囲】
【請求項１】
車両における燃料消費量および前記車両の走行距離から求めた学習燃費と、前記車両の燃料タンク内の燃料残存量とを用いて、航続可能距離を算出して表示する車両用表示装置であって、
算出された前記航続可能距離を表示する表示手段と、
前記車両の乗員により操作されるリセットスイッチ手段と、
前記車両のバッテリが、前記表示手段との接続を解除された状態から接続された状態に切り替えられたときに、予め設定された第１イニシャル燃費を最新の前記学習燃費に初期設定する第１初期設定手段と、
前記リセットスイッチ手段が操作されたときに、予め設定された第２イニシャル燃費を前記最新の前記学習燃費に初期設定する第２初期設定手段と、
前記最新の前記学習燃費を用いて、前記表示手段に表示する前記航続可能距離を算出する航続可能距離算出手段と、を備え、
前記燃料タンクが燃料で最大量満たされている満タン時における前記学習燃費を記憶する記憶手段を備え、
前記予め設定された前記第２イニシャル燃費は、過去の前記満タン時における前記学習燃費からなり、
前記リセットスイッチが１回リセット操作されたときに前回の前記満タン時における前記学習燃費を用いて前記航続可能距離が算出され、前記リセットスイッチが２回リセット操作されたときに前々回の前記満タン時における前記学習燃費を用いて前記航続可能距離が算出されることを特徴とする車両用表示装置。
【請求項２】
前記リセットスイッチ手段が操作されたときに、前記表示手段により、前記リセットスイッチ手段が操作されたことを表示することを特徴とする請求項１に記載の車両用表示装置。
【請求項３】
前記リセットスイッチ手段は、区間走行距離を表示するトリップメータに表示された前記区間走行距離をゼロにリセットするリセットスイッチで構成されていることを特徴とする請求項１または２に記載の車両用表示装置。
【発明の詳細な説明】
【技術分野】
【０００１】
本発明は、燃料の残量から予想できる航続可能距離を算出して表示する車両用表示装置に関し、特に航続可能距離の算出に使用されている学習燃費を簡単な操作でイニシャル燃費にリセットする機能を持った車両用表示装置に関するものである。
【背景技術】
【０００２】
近年、自動車の燃費に対する社会的意識が向上しており、自動車メータに表示される車両情報にも燃費関係の情報が増える傾向にある。その一つに航続可能距離情報があり、航続可能距離は学習燃費（過去の消費燃費を元に算出）と現在の燃料残量を元に算出される仕組である。
【０００３】
航続可能距離を算出する為に用いられる学習燃費は、車載電源となるバッテリを車両から切り離したＯＦＦ状態から、バッテリを車両に接続したＯＮ状態とした時は、過去のデータが無いため、イニシャル燃費（カタログ燃費を元に設定された燃費）に初期設定され、それ以降は、ドライバーが実際に走行した結果に基づく燃費をフィードバックして学習していく仕組を取っている。
【０００４】
これにより、燃費の実績が蓄積されるに従い、運転初期のイニシャル値は、実際の燃費に近づくようになっている。但し、何らかの原因で学習燃費が異常になった場合、学習燃費を訂正する仕組はなく、バッテリを車両から外すしか現時点で方法は無い。
【０００５】
航続可能距離の算出を行うものとして、特許文献１が知られている。特許文献１では、燃料タンク内の燃料残存量が燃料センサによって計測される。また、電子式燃料噴射装置における噴射弁の開閉パルスから燃料消費量が求められる。更に、走行距離センサで走行距離が計測される。
【０００６】
そして、1リットルの燃料消費量毎に走行した走行距離を求めて、記憶している。演算回路は、残燃料と同等量の過去の燃料消費量に対応する走行距離を記憶装置から読みとり、この読み取った走行距離を現時点からの航続可能距離として表示装置に出力している。
【０００７】
例えば、残燃料が１２．５リットルであれば、過去１２リットルの残燃料で走行したときの走行距離を記憶装置から読み出し、この読み取った走行距離を現時点からの航続可能距離として表示装置に出力している。従って、過去の走行距離データによって表示装置に出力される内容が変化する。
【先行技術文献】
【特許文献】
【０００８】
【特許文献１】特開昭６１−２７７０１９号公報
【発明の概要】
【発明が解決しようとする課題】
【０００９】
上述のように、現在、学習燃費はバッテリを切らないとリセットせず、バッテリを切ってリセットさせると、時計調整から再設定が必要になる。このため、バッテリを切ってリセットするのは非常にわずらわしい。
【００１０】
一方で、学習燃費が意図しない原因により異常な値になった場合、例えば車両を他人に貸した後とか、特殊な走行ルートで走行した後とかでは、学習燃費をリセットしたい場合が多い点に発明者は着目した。また、レンタカー会社が車両を顧客に貸し出す際、前回レンタルした運転者の学習燃費をリセットすることで、使用感のない状態で貸し出しが可能になる点にも発明者は着目した。
【００１１】
本発明は、このような従来の技術に存在する問題点、および着眼点に着目して成されたものであり、その目的は、バッテリを切らなくても、簡単なボタン操作で学習燃費をリセットすることを可能にする車両用表示装置を提供することにある。
【００１２】
従来技術として列挙された特許文献の記載内容は、この明細書に記載された技術的要素の説明として、参照によって導入ないし援用することができる。
【課題を解決するための手段】
【００１３】
本発明は上記目的を達成するために、下記の技術的手段を採用する。すなわち、請求項１に記載の発明では、車両における燃料消費量および車両の走行距離から求めた学習燃費と、車両の燃料タンク内の燃料残存量とを用いて、航続可能距離を算出して表示する車両用表示装置であって、算出された航続可能距離を表示する表示手段と、車両の乗員により操作されるリセットスイッチ手段と、車両のバッテリが、表示手段との接続を解除された状態から接続された状態に切り替えられたときに、予め設定された第１イニシャル燃費を最新の学習燃費に初期設定する第１初期設定手段と、リセットスイッチ手段が操作されたときに、予め設定された第２イニシャル燃費を最新の学習燃費に初期設定する第２初期設定手段と、最新の学習燃費を用いて、表示手段に表示する航続可能距離を算出する航続可能距離算出手段とを備え、燃料タンクが燃料で最大量満たされている満タン時における学習燃費を記憶する記憶手段を備え、予め設定された第２イニシャル燃費は、過去の満タン時における学習燃費からなり、リセットスイッチが１回リセット操作されたときに前回の満タン時における学習燃費を用いて航続可能距離が算出され、リセットスイッチが２回リセット操作されたときに前々回の満タン時における学習燃費を用いて航続可能距離が算出されることを特徴としている。
【００１４】
この発明によれば、車両からバッテリをはずして、また、バッテリを車両に接続するという面倒な作業をしなくても、リセットスイッチ手段の操作により、簡単に、それまでに学習してきた学習燃費を第２イニシャル燃費に切り替えることができる。従って、通常時は、それまでの学習成果を反映した最新の学習燃費を用いて航続可能距離を算出することができる。
【００１５】
一方、車両の乗員の操作により、リセットスイッチ手段がリセット操作されたときには、予め定めた第２イニシャル燃費を用いて、航続可能距離を算出することができる。従って、学習燃費が意図しない原因により異常な値になった場合、例えば車両を他人に貸した後とか、特殊な走行ルートで走行した後とかにおいて、学習燃費を簡単に第２イニシャル燃費にリセットできるため、そのときの乗員に適合した正しい航続可能距離を表示することができる。また、レンタカー会社が車両を顧客に貸し出す際、前回レンタルした乗員の学習燃費をリセットすることで、使用感のない状態で貸し出しが可能になる。
【００１６】
イニシャル燃費は第１イニシャル燃費と第２イニシャル燃費の少なくとも２種類存在するから、それぞれの場合に応じて、第１イニシャル燃費と第２イニシャル燃費とを同じ値、または、異なる値に設定することが可能になる。
更に、リセットスイッチ手段７がリセット操作されたときに、第２イニシャル燃費として、前回の燃料タンク満タン時における学習燃費を用いて、航続可能距離を算出することができる。このため、車両のカタログ等に記載された代表的な燃費に戻って、航続可能距離を算出する場合と比較して、学習燃費が意図しない原因により異常な値になった場合の影響を排除しつつ、それまでの学習成果をある程度考慮した学習燃費を用いて、航続可能距離を表示することができる。例えば、旅行に出る場合に満タン状態にすることが多いが、特殊な山道を長時間走行して学習燃費が極端に悪化した状態を元に戻したい場合に、前回の満タン時の学習燃費を、リセットスイッチ手段がリセット操作されたときのイニシャル燃費とすることにより、より同じ乗員の運転特性を反映した航続可能距離の表示が可能になる。また、乗員の数が同じ前々回の満タン時の学習燃費を採用するといったことも可能になる。
【００１７】
請求項２に記載の発明では、リセットスイッチ手段が操作されたときに、表示手段により、リセットスイッチ手段が操作されたことを表示することを特徴としている。
【００１８】
この発明によれば、リセットスイッチ手段が操作されたときに、第２イニシャル燃費を最新の学習燃費に初期設定したことを示す表示が行われるから、乗員に学習燃費がリセットされたことを明確に知らせることができる。
【００１９】
請求項３に記載の発明では、リセットスイッチ手段は、区間走行距離を表示するトリップメータに表示された区間走行距離をゼロにリセットするリセットスイッチで構成されていることを特徴としている。
【００２０】
この発明によれば、表示された区間走行距離をゼロにリセットするたびに、予め定めた第２イニシャル燃費を最新の学習燃費に初期設定することができるので、例えば、燃料タンクが燃料で最大量満たされた状態後、同じ距離を走行した過去の区間と今回の区間との間で航続可能距離を比較することができる。また、レンタカー会社が車両を顧客に貸し出す際、前回レンタルした乗員の学習燃費と区間走行距離とを両方共リセットすることで、今まで以上に、使用感のない状態で貸し出しが可能になる。
【図面の簡単な説明】
【００２３】
【図１】本発明の第１実施形態を示す車両用計器板の正面図である。
【図２】上記実施形態における車両用表示装置のブロック構成図である。
【図３】上記実施形態におけるメータ演算装置内で実行される航続可能距離表示のためのフローチャートである。
【図４】本発明の第２実施形態を示す車両用計器板の正面図である。
【図５】本発明の第２実施形態における車両用表示装置のブロック構成図である。
【図６】本発明の第３実施形態における記憶装置のメモリの状態を模式的に示した表である。
【発明を実施するための形態】
【００２４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２５】
各実施形態で具体的に組合せが可能であることを明示している部分同士の組合せばかりではなく、特に組合せに支障が生じなければ、明示していなくても実施形態同士を部分的に組合せることも可能である。
【００２６】
（第１実施形態）
以下、本発明の第１実施形態について図１乃至図３を用いて詳細に説明する。図１は、本発明の第１実施形態を示す車両用計器板の正面図である。車両用計器板１はメータフード２内部の表示板３上に車速計４、エンジン回転計５等の計器が取り付けられている。６は、ドットマトリクスを使用して多種類情報のディジタル表示を行う液晶表示装置（ＬＣＤ）から構成された表示装置（マルチディスプレイ）である。
【００２７】
この表示装置６内には航続可能距離が４００ｋｍであることが表示されている。また、表示装置６内の表示画像のＲの文字表示は、学習燃費がイニシャル燃費にリセットされたことを示しており、所定時間後に消えるものである。また、この表示装置６の画面をタッチすることにより、トリップメータやオドメータや時計表示に表示内容を切り替えることができるマルチディスプレイとなっている。７はリセットスイッチ手段をなす棒状の操作スイッチである。
【００２８】
図２は、この第１実施形態における車両用表示装置のブロック構成図である。表示板３の裏側である車両進行方向側にはメータ用のマイクロコンピュータからなるメータ用演算装置１０が搭載されている。
【００２９】
このメータ用演算装置１０には、リセットスイッチ手段７を構成する棒状の操作スイッチからの信号、燃料タンク１１内の燃料残存量を示す信号、およびエンジン制御装置１２からの走行距離を示す信号、バッテリ１３からの信号等が接続されている。また、メータ用演算装置１０から表示装置６に表示信号が供給されている。なお、トリップメータは、この実施形態では表示装置６の中に組み込まれている。
【００３０】
図３は、メータ演算装置１０内で実行される航続可能距離表示のためのフローチャートである。図３において、定期的なインターバルで制御が開始されると、ステップＳ１０において、図２のバッテリ１３からの電源電圧が無い状態から、バッテリ１３からの電源電圧がある状態に切り替わったか否かが判断される。
【００３１】
バッテリ１３が車両からはずされた状態から、バッテリ１３が車両に電気的に接続された状態に切り替わり、バッテリ１３からの電源電圧が無い状態からバッテリ１３からの電源電圧がある状態に切り替わっっていると、ＹＥＳと判断され、ステップＳ１１に進む。
【００３２】
ステップＳ１１では、第１イニシャル燃費を学習燃費をに初期設定する。なお、第１イニシャル燃費とは、この第１実施形態においては、車両のカタログ等に記載された代表的な燃費である。一方、ステップＳ１０において、バッテリ１３が車両からはずされた状態からバッテリ１３が接続された状態に切り替わっていないとき、例えば、バッテリ１３の接続状態に変化が無かったときはＮＯと判断され、ステップＳ１２に進む。
【００３３】
ステップＳ１２においては、学習燃費を演算して更新するために、学習燃費を運転実績から演算する。この学習燃費の演算は、種々の方法を採用することができるが、例えば、次のようにして行う。
【００３４】
図２の燃料タンク１１内の、図示しない燃料センサにより燃料残存量を計測する。また、エンジン制御装置１２からは、エンジンの燃料消費量を計測した情報が、メータ用演算装置１０に入力される。この燃料消費量は、図示しない電子式燃料噴射装置における噴射弁の開閉パルスから求められる。また、エンジン制御装置１２からは、走行距離を計測する走行距離センサからの情報がメータ用演算装置１０に入力される。
【００３５】
そして、燃料残存量が所定量、例えば１リットル減少する毎に、走行した距離を距離センサからの計測値により求め、メータ用演算装置１０に接続された記憶装置１５のメモリに順次記憶しておく。
【００３６】
この燃料残存量が所定量減少する毎に求めた距離センサからの計測値が、学習燃費を表している。記憶装置１５には、所定燃料消費量毎の走行距離データが、順序をもって記憶されている。また、この記憶された値は、次の満タン時における走行実績で更新される。この更新の時には、前回までの平均値を記憶してもよい。
【００３７】
次に、図３のステップＳ１３において、図１の棒状の操作スイッチからなるリセットスイッチ手段７からの信号があったか否か、つまり、リセットスイッチ手段７がＯＮされたか否かを判定する。リセットスイッチ手段７がＯＮされていない場合は、ＮＯと判断されて、ステップＳ１４に進み、最新の学習燃費で航続可能距離を算出し、この算出された値を図１の表示装置６で表示する。
【００３８】
この最新の学習燃費での航続可能距離の算出は、次のようにして実行される。例えば、燃料残存量が１２．５リットルであれば、小数点以下を切り捨てた燃料残存量１２リットルのときの走行距離データを記憶装置１５（図２）から読み出す。次に、この記憶装置１５から読み出した最新の所定燃料消費量毎の走行距離データからなる学習燃費と、燃料残存量とから、航続可能距離を算出する。そして算出された航続可能距離が、表示装置６に表示される。
【００３９】
ステップＳ１３において、リセットスイッチ手段７がＯＮされている場合は、ステップＳ１５において、第２イニシャル燃費である、その車両の代表的な運転での、所定燃料消費量毎の走行距離データ（カタログ値等）を最新の学習燃費に初期設定した上で、ステップＳ１４の航続可能距離が算出され、この算出された値が図２の表示装置６で表示される。
【００４０】
このように、この第１実施形態では、第１イニシャル燃費と第２イニシャル燃費は同じ値としており、車両からバッテリ１３をはずして、再び、バッテリ１３を車両に接続するという面倒な作業をしなくても、リセットスイッチ手段７の操作により、簡単に、それまでに学習してきた学習燃費をイニシャル燃費に切り替えることができる。従って、通常時は、それまでに学習してきた学習燃費のうちの、最新の学習燃費を用いて、航続可能距離を算出することができる。
【００４１】
一方、車両の乗員の操作により、リセットスイッチ手段７がリセット操作されたときには、予め定めたイニシャル燃費を用いて、航続可能距離を算出することができる。従って、学習燃費が意図しない原因により異常な値になった場合、例えば車両を他人に貸した後とか、特殊な走行ルート（山道等）で走行した後とかにおいて、学習燃費を簡単にイニシャル燃費にリセットできる。
【００４２】
従って、そのときの乗員にあった正しい航続可能距離を表示することができる。また、レンタカー会社が車両を顧客に貸し出す際、前回レンタルした乗員の学習燃費をリセットすることで、使用感のない状態で貸し出しが可能になる。
【００４３】
また、リセットスイッチ手段７が操作されたときに、イニシャル燃費にリセットしたことを示す表示が、図１のように、表示装置６の表示画面に、「Ｒ」の文字で表示される。この表示は所定時間継続するから、乗員は、学習燃費がリセットされたことを知ることができる。なお、第１イニシャル燃費と第２イニシャル燃費とを異なる値とすることもできる。
【００４４】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。図４は、本発明の第２実施形態を示す車両用計器板の正面図である。図５は、第２実施形態における車両用表示装置のブロック構成図である。
【００４５】
この第２実施形態では、図４および図５のように、航続可能距離を表示する表示装置６に隣接して、区間走行距離を表示するトリップメータ１４が配置されている。また、トリップメータ１４の表示数値をゼロにリセットするトリップメータ用リセットスイッチ７ａが航続可能距離を算出するためのリセットスイッチ手段と兼用されている。そして、図５のように、トリップメータ用リセットスイッチ７ａの信号がメータ用演算装置１０に入力されている。
【００４６】
図４において、トリップメータ１４の表示は、前回トリップメータ用リセットスイッチ７ａをＯＮ操作したときからの走行距離である１４２ｋｍを表示している。そして、トリップメータ用リセットスイッチ７ａがＯＮ操作されると、トリップメータ１４の１４２ｋｍの表示は０ｋｍにリセットされる。
【００４７】
そして、このトリップメータ用リセットスイッチ７ａがＯＮ操作されると、航続可能距離を表示するための図３で援用するフローチャートのステップＳ１３におけるリセットスイッチがＯＮされたものとして扱われ、学習燃費は、イニシャル燃費にリセットされる。そして、このイニシャル燃費を基にして航続可能距離が算出され、表示される。
【００４８】
このように、第２実施形態においては、トリップメータ１４の表示数値をゼロにリセットするトリップメータ用リセットスイッチ７ａが、航続可能距離を算出するためのリセットスイッチ手段と兼用されているため、表示された区間走行距離をゼロにリセットするたびに、学習燃費を、予め定めたイニシャル燃費にリセットすることができる。
【００４９】
従って、同じ距離を走行するたびに、前回の区間と今回の区間との間で、航続可能距離を比較し実感することができる。例えば、同じ目的地に定期的に行く乗員にとっては、燃料タンクに燃料を満タンにしてから、トリップメータを０ｋｍに設定して出発すると、走行距離を所定量重ねる毎の、航続可能距離を前回の区間での航続可能距離のメモまたは記憶した値と比較することができる。
【００５０】
また、レンタカー会社が車両を顧客に貸し出す際、前回レンタルした乗員の学習燃費と区間走行距離とを両方共同時にリセットすることで、リセットし忘れがなく、今まで以上に、使用感のない状態で貸し出しが可能になる。
【００５１】
（第３実施形態）
次に、本発明の第３実施形態について説明する。上述した実施形態と異なる特徴部分を説明する。図６は、本発明の第３実施形態における記憶装置のメモリの状態を模式的に示した表である。
【００５２】
例えば、燃料が５０リットル入る燃料タンク１１（図２）では、燃料タンクが最大燃料量で満たされた時（満タン時）から１リットル減少するまでの走行距離データが、第１メモリ領域Ｍ１の５０のアドレスに、例えば１１．６ｋｍとして格納されている。また、この満タン時における走行距離データは、満タン時のときの走行距離データのみを格納した第２メモリ領域Ｍ２の１番目のアドレスにも格納されている。
【００５３】
上記第１実施形態では、リセットスイッチ手段７をＯＮしたときに、学習燃費を第２イニシャル燃費とし、この第２イニシャル燃費は、カタログ等に明記された代表的な値とした。しかし、この第３実施形態では、リセットスイッチ手段７をＯＮしたときに、前回の満タン時の学習燃費の記憶値である第２メモリ領域Ｍ２の２番目のアドレスに格納された１２．３を、第２イニシャル燃費として設定している。なお、所定時間の間にリセットスイッチ手段を２回ＯＮしたときには、前々回の満タン時の学習燃費の記憶値である１０．８を第２イニシャル燃費として設定している。
【００５４】
これによれば、リセットスイッチ手段７がリセット操作されたときに、第２イニシャル燃費として、前回の燃料タンク満タン時における学習燃費を用いて、航続可能距離を算出することができる。
【００５５】
このため、車両のカタログ等に記載された代表的な燃費に戻って、航続可能距離を算出する場合と比較して、学習燃費が意図しない原因により異常な値になった場合の影響を排除しつつ、それまでの学習成果をある程度考慮した学習燃費を用いて、航続可能距離を表示することができる。
【００５６】
例えば、旅行に出る場合に満タン状態にすることが多いが、特殊な山道を長時間走行して学習燃費が極端に悪化した状態を元に戻したい場合に、前回の満タン時の学習燃費を、リセットスイッチ手段がリセット操作されたときのイニシャル燃費とすることにより、より同じ乗員の運転特性を反映した航続可能距離の表示が可能になる。また、乗員の数が同じ前々回の満タン時の学習燃費（第２メモリ領域Ｍ２の３番目のアドレスの１０．８）を採用するといったことも可能になる。
【００５７】
（その他の実施形態）
本発明は上述した実施形態にのみ限定されるものではなく、次のように変形または拡張することができる。例えば、上述の第１実施形態では、リセットスイッチ手段７は、機械的に位置を記憶するスイッチを使用したが、ＯＮするたびに復帰する手動操作自動復帰型のスイッチを使用するときは、ＯＮするたびに信号が反転するフリップフロップ回路で記憶されたスイッチ信号の値を利用して、リセットスイッチがＯＮされたか否かを判断してもよい。
【００５８】
また、リセットスイッチ手段として、表示装置６内のタッチスイッチを使用することもできる。また、リセットスイッチ手段となるタッチスイッチを、ダッシュボードの車両用計器板以外の場所に置かれたナビゲータ用ディスプレイにおいて計器設定モードの表示画像におけるタッチスイッチとして構成することもできる。
【００５９】
また、第３実施形態では、第２イニシャル燃費をカタログ等に記載された代表的燃費とせずに、第２メモリ領域Ｍ２に記憶された燃費としたが、バッテリが非接続の状態から接続された時のイニシャル燃費は、カタログ等に記載された代表的な値としてもよい。すなわち、リセットスイッチ手段でリセットするときの第２イニシャル燃費と、バッテリの接続でリセットするときの第１イニシャル燃費とは、同じ値であっても異なる値であってもよい。
【符号の説明】
【００６０】
１  車両用計器板
３  表示板
４  車速計
６  表示装置
７  リセットスイッチ手段を成すリセットスイッチ
１０  メータ用演算装置
１１  燃料タンク
１２  エンジン制御装置
１３  バッテリ
１４  トリップメータ
１５  記憶装置
７ａ  トリップメータ用リセットスイッチ
Ｍ１  第１メモリ領域
Ｍ２  第２メモリ領域
【図１】
0005636992.tif 000002
【図２】
0005636992.tif 000003
【図３】
0005636992.tif 000004
【図４】
0005636992.tif 000005
【図５】
0005636992.tif 000006
【図６】
0005636992.tif 000007